(57)【要約】【課題】  旋錠および解錠の操作性がよく、簡単な構造のの扉施錠装置を提供する。【解決手段】  扉施錠装置１が旋錠状態であるときに、ユーザは、指等を手掛け部４２ａに引っ掛けて矢印Ａの向き(手前)に引っ張ることで、手掛け部４２ａが回転軸３９を中心に矢印Ａの向きに図８に示す回転位置まで回転する。これにより、ロック部４２ｂが収容領域１０２の外に位置し、正面格子枠１４の枠材１１０が収容領域１０２から外に移動可能になる。同時に、図８の状態において、ロック部４２ｃが収容領域１１２の外に位置し、正面格子枠１４の枠材１１０が収容領域１１２から外に移動可能になる。すなわちロック部４２ｂ，４２ｃのロック状態が解除される。【選択図】  図２
2010220576.tif 000002
【特許請求の範囲】
【請求項１】
枠材で形成された収容体の扉施錠装置であって、
前記収容体の出入口部に回動可能に取り付けられた扉、あるいは前記出入り口部付近に固定される本体と、
前記本体に設けられ、前記収容体あるいは扉を構成する枠材の一部を収容する収容領域と、
所定の回転軸を中心に第１の回転位置と第２の回転位置との間で移動可能な手掛け部と、
前記手掛け部に前記第２の位置から前記第１の回転位置に移動する向きに付勢力を加える弾性部材と、
前記手掛け部の前記移動に連動し、前記手掛け部が前記第１の回転位置にあるときに前記収容領域に収容された前記枠材の一部が前記収容領域から外れることを規制し、前記手掛け部が前記第２の回転位置にあるときに、前記規制を解除した状態になるロック部と
を有する
扉施錠装置。
【請求項２】
前記手掛け手段は、前記収容領域に収容された前記枠材の長手方向に沿った前記中心軸を中心に回転移動し、
前記第１の回転位置は、前記第２の回転位置に対して前記本体に近い回転位置にある
請求項１に記載の扉施錠装置。
【請求項３】
前記収容領域は、相互に平行して位置する第１および第２の突出部の間に形成されており、
前記回転軸は、前記第２の突出部に対して端部側に位置する前記第１の突出部の先端付近に設けられており、
断面略三角形の前記ロック部の一つの頂点付近を中心に回転するように前記回転軸が取り付けられている
請求項１または請求項２に記載の扉施錠装置。
【請求項４】
前記第２の突出部の高さは、前記第１の突出部に比べて低い
請求項３に記載の扉施錠装置。
【請求項５】
前記長手方向に対して複数箇所に前記ロック部をそれぞれ備えている
請求項２〜４のいずれかに記載の扉施錠装置。
【発明の詳細な説明】
【技術分野】
【０００１】
本発明は、犬や猫等の動物の檻の扉に設けられる扉施錠装置に関するものである。
【背景技術】
【０００２】
例えば、特許文献１に開示されているように、犬や猫等の動物を収容する檻がある。
この特許文献１には、二重に施錠する構造にして他人や檻の中の動物等が不用意に扉を開けてしまうのを防止することができる動物用金網檻の扉施錠装置が開示されている。
この動物用金網檻の扉施錠装置は、本体ケースと、スライダーと、係合部と、スライダーを付勢する弾性体と、スライダーの移動を制限するロッド部を有する移動可能なロック部とを備えている。また、前記本体ケースは、開口部と、収容溝と、係合部用穴と、固定部と、ロック部用開口部と、施錠固定部と、解錠固定部とを有する。スライダーは、スライダーの先端部が前記開口部から突出した状態で前記本体ケース内に移動可能に設けられており、弾性体用係合部と、ロッド部用開口とを有する。ロック部は、施錠固定部及び解錠固定部に係合する突出部を有する。
【先行技術文献】
【特許文献】
【０００３】
【特許文献１】特開２００６−２１７８６７号公報
【発明の概要】
【発明が解決しようとする課題】
【０００４】
しかしながら、上述した従来の動物用金網檻の扉施錠装置は、旋錠および解錠の操作性が悪いとともに、構造が複雑であるという問題がある。
【０００５】
本発明はかかる事情に鑑みてなされたものであり、その目的は、旋錠および解錠の操作性がよく、簡単な構造のの扉施錠装置を提供することにある。
【課題を解決するための手段】
【０００６】
本発明の扉施錠装置は、枠材で形成された収容体の扉施錠装置であって、前記収容体の出入口部に回動可能に取り付けられた扉、あるいは前記出入り口部付近に固定される本体と、前記本体に設けられ、前記収容体あるいは扉を構成する枠材の一部を収容する収容領域と、所定の回転軸を中心に第１の回転位置と第２の回転位置との間で移動可能な手掛け部と、前記手掛け部に前記第２の位置から前記第１の回転位置に移動する向きに付勢力を加える弾性部材と、前記手掛け部の前記移動に連動し、前記手掛け部が前記第１の回転位置にあるときに前記収容領域に収容された前記枠材の一部が前記収容領域から外れることを規制し、前記手掛け部が前記第２の回転位置にあるときに、前記規制を解除した状態になるロック部とを有する。
【０００７】
好適には、本発明の扉施錠装置の前記手掛け手段は、前記収容領域に収容された前記枠材の長手方向に沿った前記中心軸を中心に回転移動し、前記第１の回転位置は、前記第２の回転位置に対して前記本体に近い回転位置にある。
【０００８】
好適には、本発明の扉施錠装置の前記収容領域は、相互に平行して位置する第１および第２の突出部の間に形成されており、前記回転軸は、前記第２の突出部に対して端部側に位置する前記第１の突出部の先端付近に設けられており、断面略三角形の前記ロック部の一つの頂点付近を中心に回転するように前記回転軸が取り付けられている。
【０００９】
好適には、本発明の扉施錠装置の前記第２の突出部の高さは、前記第１の突出部に比べて低い。
【００１０】
好適には、歩発明の扉施錠装置は、前記長手方向に対して複数箇所に前記ロック部をそれぞれ備えている。
【発明の効果】
【００１１】
本発明によれば、旋錠および解錠の操作性がよく、簡単な構造のの扉施錠装置を提供することができる。
【図面の簡単な説明】
【００１２】
【図１】図１は、本発明の実施形態に係る扉施錠装置が用いられる動物用金網檻の外観図である。
【図２】図２は、図１に示す扉施錠装置の斜視図である。
【図３】図３は、図１に示す扉施錠装置の正面図である。
【図４】図４は、図１に示す扉施錠装置の背面図である。
【図５】図５は、図１に示す扉施錠装置の平面図である。
【図６】図６は、図１に示す扉施錠装置の底面図である。
【図７】図７は、図１に示す扉施錠装置の側面図である。
【図８】図８は、図１に示す扉施錠装置のロック解除状態を説明するための斜視図である。
【図９】図９は、本発明の実施形態に係る動物用金網檻のその他の例を説明するための斜視図である。
【発明を実施するための形態】
【００１３】
以下、本発明の扉施錠装置について説明する。
本実施形態において、動物用金網檻２が本発明の収容体の一例である。また、扉施錠装置１が本発明の扉施錠装置の一例である。
また、図２に示す手掛け部４２ａの位置が本発明の第１の回転位置の一例であり、図８に示す手掛け部４２ａの位置が本発明の第２の回転位置の一例である。
また、手掛け部４２ａが本発明の手掛け部の一例である。
また、ねじりばね６２，８２が本発明の弾性部材の一例である。
また、ロック部４２ｂ，４２ｃが本発明のロック部の一例である。
また、突出部３８，５８が本発明の第１の突出部の一例であり、突出部３４，５４が本発明の第２の突出部の一例である。
【００１４】
図１は、本発明の実施形態に係る扉施錠装置１が用いられる動物用金網檻２の外観図である。
図１に示すように、動物用金網檻２は、台１２の上に、正面格子枠１４、側面格子枠１５、背面格子枠１６、側面格子枠１７、平面格子枠１８を組み合わせて構成される。
隣接する格子枠は、その端部において連結部材を用いて連結されている。
また、正面格子枠１４の中央部には、出入口１４ａが設けられている。
【００１５】
正面格子枠１４の出入口１４ａ付近の枠材には回転軸１９が設けられ、扉２０が回転軸１９を中心に回転して開閉する。
扉２０の回転軸１９と反対側の端部付近には扉施錠装置１が固定されている。
【００１６】
図２は、図１に示す扉施錠装置１の斜視図、図３は扉施錠装置１の正面図、図４は扉施錠装置１の背面図、図５は扉施錠装置１の平面図、図６は扉施錠装置１の扉施錠装置１の底面図、図７は扉施錠装置１の側面図である。
【００１７】
扉施錠装置１は、扉２０の枠材に固定される本体２１と、ロック機構部４２とを有する。
本体２１は、第１の部材２２および第２の部材３２とで構成されている。
第１の部材２２と第２の部材３２とは、３組のボルト８２とナット８４とを用いて結合されている。
第１の部材２２には、扉２０の縦方向にのびる枠材を収容するための窪み２３，２４が形成されている。
【００１８】
第２の部材３２には、上記窪み２３，２４と一体となって、扉２０の枠材を収容する領域を形成する窪み２５，２６が形成されている。
また、第２の部材３２には、扉２０の横方向にのびる枠材を収容する領域を形成する窪み２７，２８，２９，３０が形成されている。
【００１９】
扉２０に扉施錠装置１を固定する際に、ボルト８２とナット８４の連結を外して、第１の部材２２と第２の部材３２とを分離する。
そして、扉２０の最端部に位置する縦方向にのびる枠材を窪み２３，２５によって形成される領域に収容し、扉２０の上記最端部の次に位置する縦方向にのびる枠材を窪み２４，２６によって形成される領域に収容する。
さらに、扉２０の横方向にのびる隣接する４本の枠材を窪み２７，２８，２９，３０によって形成される領域に収容する。
そして、この状態で、ボルト８２とナット８４とを連結させることで、扉２０に扉施錠装置１が固定される。
【００２０】
第２の部材３２の端部には、第２の部材３２の主面に対して直交する方向にのびる突出部３８と、これに並行して伸びる突出部３４とが形成されている。
突出部３８の先端部には、回転軸３９を中心に回転可能にロック部４２ｂが設けられている。
ロック部４２ｂの断面は三角形である。
【００２１】
回転軸３９には、ねじりばね６２が巻き付けられている。ねじりばね６２は、ロック部４２ｂの先端を突出部３４の側面に向けて回転させる向きに付勢力を発生している。
この付勢力により、手掛け部４２aに外力が加えられていない状態で、ロック部４２ｂの先端は、突出部３４の側面に当接している。ロック部４２ｂの先端が、突出部３４の側面に当接した状態で、ロック部４２ｂ、突出部３４および突出部３８で囲まれた閉領域である収容領域１０２が形成される。
収容領域１０２には、ロック状態で、正面格子枠１４の出入口１４ａ付近の枠材１１０の一部が収容される。
【００２２】
第２の部材３２の長手方向に沿って突出部３８と反対側の端部には、第２の部材３２の主面に対して直交する方向にのびる突出部５８と、これに並行して伸びる突出部５４とが形成されている。
突出部５８の先端部には、回転軸５９を中心に回転可能にロック部４２ｃが設けられている。
ロック部４２ｃの断面は三角形である。
回転軸５９には、ねじりばね８２が巻き付けられている。ねじりばね８２は、ロック部４２ｃの先端を突出部５４の側面に向けて回転させる向きに付勢力を発生している。
この付勢力により、手掛け部４２aに外力が加えられていない状態で、ロック部４２ｃの先端は、突出部５４の側面に当接している。ロック部４２ｃの先端が、突出部５４の側面に当接した状態で、ロック部４２ｃ、突出部５４および突出部５８で囲まれた閉領域である収容領域１１２が形成される。
収容領域１１２には、ロック状態で、正面格子枠１４の出入口１４ａ付近の枠材１１０の一部が収容される。
【００２３】
手掛け部４２a、ロック部４２ｂおよびロック部４２ｃは、一体的に成形されている。
手掛け部４２aは、ユーザが指等を引っ掛けて引っ張ることで、図２中矢印Ａの向きに移動する。
この手掛け部４２aの移動に連動して、図８に示すように、突出部３４と突出部３８との間に形成される領域の外側にロック部４２ｂが移動し、収容領域１０２に対して出入口１４ａの枠材１１０を出し入れ可能になる。
この手掛け部４２aの移動に連動して、突出部５４と突出部５８との間に形成される領域の外側にロック部４２ｃが移動し、収容領域１１２に対して出入口１４ａの枠材１１０を出し入れ可能になる。
【００２４】
以下、扉施錠装置１の使用形態について説明する。
＜組み立て時＞
扉施錠装置１は、出荷時に、扉施錠装置１の構成部品と共に、台１２、正面格子枠１４、側面格子枠１５、背面格子枠１６、側面格子枠１７、平面格子枠１８、扉２０、車輪１２０が配送される。
ユーザは、図１に示すように、連結部材等を用いて、台１２、正面格子枠１４、側面格子枠１５、背面格子枠１６、側面格子枠１７、平面格子枠１８を組み合わせる。
また、正面格子枠１４の出入口１４ａに回転軸１９を介して扉２０を取り付ける。
【００２５】
そして、扉施錠装置１の第１の部材２２と第２の部材３２とを分離した状態で、第１の部材２２の窪み２３と第２の部材３２の窪み２５とで扉２０の枠材２０１を挟み込み、第１の部材２２の窪み２４と第２の部材３２の窪み２６とで扉２０の枠材２０３を挟み込む。
また、第２の部材３２の窪み２７,２８，２９,３０には、扉２０の横方向の枠材２１０，２１１，２１３，２１４を挟み込む。
そして、３組のボルト８２とナット８４とを締め合わせる。
これにより、扉施錠装置１が扉２０に固定される。
【００２６】
＜扉施錠装置１の解錠時＞
図１および図２等に示すように扉施錠装置１が旋錠状態であるときに、ユーザは、指等を手掛け部４２ａに引っ掛けて図２中矢印Ａの向き(手前)に引っ張ることで、手掛け部４２ａが回転軸３９を中心に矢印Ａの向きに図８に示す回転位置まで回転する。
これにより、ロック部４２ｂが収容領域１０２の外に位置し、正面格子枠１４の枠材１１０が収容領域１０２から外に移動可能になる。すなわちロック部４２ｂのロック状態が解除される。
また、同時に、図８の状態において、ロック部４２ｃが収容領域１１２の外に位置し、正面格子枠１４の枠材１１０が収容領域１１２から外に移動可能になる。すなわちロック部４２ｃのロック状態が解除される。
これにより、扉施錠装置１と正面格子枠１４の枠材１１０との結合のロック状態が解除され、扉２０が開閉自在となる。
【００２７】
＜扉施錠装置１の旋錠時＞
旋錠する場合には、ユーザは、指等を手掛け部４２ａに引っ掛けて図２中矢印Ａの向きに引っ張ることで、手掛け部４２ａが回転軸３９を中心に矢印Ａの向きに図８に示す回転位置まで回転する。
これにより、ロック部４２ｂが収容領域１０２の外に位置し、扉２０を閉める過程で、正面格子枠１４の枠材１１０が収容領域１０２内に移動可能になる。
また、同時に、ロック部４２ｃが収容領域１１２の外に位置し、扉２０を閉める過程で、正面格子枠１４の枠材１１０が収容領域１１２内に移動可能になる。
その後、ユーザの指等を手掛け部４２ａから離すと、ねじりばね６２の付勢力によって手掛け部４２ａが矢印Ａと反対の向きに図２に示す回転位置まで回転する。
【００２８】
図２に示す状態において、ロック部４２ｂによって枠材１１０が収容領域１０２外に出ることが規制され、ロック部４２ｂによるロック状態になる。
また、同時に、ロック部４２ｃによって枠材１１０が収容領域１１２外に出ることが規制され、ロック部４２ｃによるロック状態になる。
【００２９】
これにより、扉２０が正面格子枠１４に固定され、扉２０は旋錠状態となる。
【００３０】
以上説明したように、扉施錠装置１では、旋錠時および解錠時に、ユーザは、指等を手掛け部４２ａに引っ掛けて図２中矢印Ａの向き(手前)に引っ張り、手掛け部４２ａを回転軸３９，５９を中心に回転させる操作を行う。この操作は、人の手の動きに自然な操作であり、操作性がよい。
【００３１】
また、扉施錠装置１では、手掛け部４２ａの上記回転動作、２つのロック部４２ｂ，４２ｃが連動し、一体となって施錠および解錠の動作を行う。
このように２つのロック部４２ｂ，４２ｃを用いたことで、扉施錠装置１が扉２０に安定したロック状態を保持できる。
また、２つのロック部４２ｂ，４２ｃの施錠および解錠動作を一つの手掛け部４２ａの上記回転動作のみで一括して行うことで、操作性がよい。
【００３２】
また、このような回転機構を用いたことで、扉施錠装置１の構造を簡単にでき、製造コストを低くできるとともに、壊れ難くなる。
【００３３】
また、扉施錠装置１では、突出部３８，５８の先端付近に回転軸３９，５９を設け、回転軸３９，５９に断面略三角形状のロック部４２ｂ，４２ｃの一つの頂点付近を取り付ける。
これにより、手掛け部４２ａと回転軸３９との距離を長くすることができ、てこの原理で回転力の作用効率を高くすることができる。
【００３４】
また、扉施錠装置１では、突出部３４の高さを突出部３８に比べて低くしたことで、収容領域１０２からの枠材１１０で出入りを容易にできる。
【００３５】
また、扉施錠装置１では、上述したような機能の扉施錠装置１を動物用金網檻２に設けることで、檻内の動物が扉２０を押してもロックが外れることはなく、檻内の動物が外に出てしまう事態を効果的に回避できる。
【００３６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、２つのロック部４２ｂ，４２ｃを設けた場合を例示したが、例えば、図９に示すように、１つのロック部２４２ｂを用いてもよい。この場合には、手掛け部２４２ａを引っ張ることで、回転軸２３９を中心にロック部２４２ｂが回転して、施錠状態および解錠状態となる。
【００３７】
なお、本発明の扉施錠装置は、３つ以上のロック部を設けてもよい。
【００３８】
また、上述した実施形態では、手掛け部を手前に引っ張ることでロック部のロック状態が解除される場合を例示したが、押し込むことでロック状態が解除されるようにしてもよい。
【００３９】
また、上述した実施形態では、扉施錠装置１を扉２０に固定する場合を例示したが、正面格子枠１４に固定するようにしてもよい。
【００４０】
また、上述した実施形態では、動物用金網檻２の扉施錠装置１を例示したが、檻以外の収容体に本発明の扉施錠装置を適用してもよい。
【産業上の利用可能性】
【００４１】
本発明は、犬や猫等の動物の檻に適用できる。
【符号の説明】
【００４２】
１…扉施錠装置
２…動物用金網檻
１２…台
１４…正面格子枠
１４ａ…出入口
１５…側面格子枠
１６，１７…側面格子枠
１８…平面格子枠
１９…回転軸
２０…扉
２１…本体
２２…第１の部材
３２…第２の部材
３４，３８，５４，５８…突出部
３９，５９…回転軸
４２ａ…手掛け部
４２ｂ、４２ｃ…ロック部
６２，８２…ねじりばね
１１０，２１１，２０１，２０３，２１３…枠材
【図１】
2010220576.tif 000003
【図２】
2010220576.tif 000004
【図３】
2010220576.tif 000005
【図４】
2010220576.tif 000006
【図５】
2010220576.tif 000007
【図６】
2010220576.tif 000008
【図７】
2010220576.tif 000009
【図８】
2010220576.tif 000010
【図９】
2010220576.tif 000011